(57)【特許請求の範囲】
【請求項１】
複数の原信号のうち各々指定されたものが供給される複数の入力部を有する音声信号処理装置の経路図を表示する経路図表示装置において、
前記複数の入力部毎に異なる規定色を定める色規定手段と、
複数のブロック画像とこれらブロック画像の相互間を結ぶ結合線画像とを有し処理する信号の流れを表す回路部画像と、該回路部画像の入力位置に配置され前記各入力部を前記色規定手段によって規定された規定色で表示する入力部表示画像と、前記各原信号に対応する複数の原信号画像とを表示させる表示手段と、
何れかの原信号に対する前記入力部の割当が変更された場合にその旨を検出する割当変更検出手段と、
該原信号に対して新たに割り当てられた入力部の規定色を前記色規定手段から読み出す読出手段と、
該原信号に対応する原信号画像の表示色を、読み出された前記規定色または該規定色に対応する表示色に変更する表示色変更手段と
を有することを特徴とする経路図表示装置。
【請求項２】
前記各原信号毎に、前記音声信号処理装置の複数の入力部に対して当該原信号を供給するオン状態および当該原信号を供給しないオフ状態のうち何れかを指定する原信号オンオフ設定手段をさらに有し、
前記表示色変更手段は、
前記原信号オンオフ設定手段がオン状態に設定されているかオフ状態に設定されているかを検出する状態検出手段と、
前記状態検出手段によってオン状態が検出されると、前記原信号画像の表示色を前記規定色に変更する第１の変更手段と、
前記状態検出手段によってオフ状態が検出されると、前記規定色を明度または彩度のうち少なくとも一方を下げた調整表示色に調整し、前記原信号画像の表示色を該調整表示色に変更する第２の変更手段と
を有することを特徴とする請求項１記載の経路図表示装置。
【請求項３】
前記複数の原信号画像と、前記入力部表示画像とは、前記表示手段上で所定幅の空隙部を隔てて配置されていることを特徴とする請求項１または２記載の経路図表示装置。
【請求項４】
複数の原信号のうち各々指定されたものが供給される複数の入力部を有する音声信号処理装置の経路図を表示する経路図表示装置において実行されるプログラムであって、前記音声信号処理装置は複数の原信号のうち各々指定されたものが入力される複数の入力部を有するものであり、前記経路図表示装置は(a)前記複数の入力部毎に異なる規定色を定める色規定手段と、(b)複数のブロック画像とこれらブロック画像の相互間を結ぶ結合線画像とを有し処理する信号の流れを表す回路部画像と、該回路部画像の入力位置に配置され前記各入力部を前記色規定手段によって規定された規定色で表示する入力部表示画像と、前記各原信号に対応する複数の原信号画像とを表示させる表示手段と、(c)処理装置とを有するものであり、
何れかの原信号に対する前記入力部の割当が変更されると、該原信号に対して新たに割り当てられた入力部の規定色を前記色規定手段から読み出す読出し過程と、
該原信号に対応する原信号画像の表示色を、読み出された前記規定色または該規定色に対応する表示色に変更する表示色変更過程と
を前記処理装置に実行させることを特徴とするプログラム。
【発明の詳細な説明】
【技術分野】
【０００１】
本発明は、電子楽器のパラメータ設定に用いて好適な経路図表示装置およびプログラムに関する。
【背景技術】
【０００２】
従来より、シンセサイザ等の電子楽器においては、鍵盤において一の鍵が押下された際、複数種類の波形データを同時に生成し、これらをミキシングすることによってある音色の楽音信号を生成するものが知られている。これらミキシングされる前の個々の波形データを「エレメント」といい、最終的に生成される楽音信号の音色を「ボイス」という。また、このような電子楽器にコンピュータを接続し、コンピュータ上でボイスを編集できるものも知られている。ここで、非特許文献１に開示された電子楽器をコンピュータに接続した場合に、コンピュータのディスプレイ上に表示されるボイス編集画面の例を図１に示す。
【０００３】
図１において２１０はエレメント設定部であり、「４」エレメントに対する設定および表示を行う。２２０はインサーションエフェクト設定部であり、各エレメントに対して付与されるエフェクトであるインサーションエフェクトの設定および表示を行う。２３０はシステムエフェクト設定部であり、全エレメントのミキシング結果に対して付与されるエフェクトであるシステムエフェクトの設定および表示を行う。エレメント設定部２１０の内部において２１２はエレメント名表示部であり、第１〜第４エレメントの名称を表示する。２１４はエレメント・オンオフ設定部であり、各エレメントに対応する「４」のボタン画像から構成され、マウスでクリックされる毎に、各エレメントのオン／オフ状態を切り替える。２１５はエレメント・レベル設定部であり、「４」のノブ画像から構成され、各エレメントがオン状態である場合の出力レベル（インサーションエフェクトにおける入力レベル）を設定する。
【０００４】
インサーションエフェクト設定部２２０においては、エフェクトＡ，Ｂの「２」種類のエフェクトの状態を設定することができる。ここで、エフェクトＡ，Ｂの接続態様として、「エフェクトＡの出力をエフェクトＢに供給する」、「エフェクトＢの出力をエフェクトＡに供給する」、「エフェクトＡ，Ｂをパラレルに接続する」という「３」態様が考えられる。２２２は接続態様設定部であり、上述した何れかの接続態様を選択するものである。以上のようなインサーションエフェクトに対して、各エレメントにおいては、「エフェクトＡに入力する（ＥＦ  Ａ）」、「エフェクトＢに入力する（ＥＦ  Ｂ）」、「何れのエフェクトにも入力しない（ＴＨＲＵ）」の何れかの供給先を選択することができる。エレメント設定部２１０内において２１６は供給先選択部であり、各エレメント毎に「ＥＦ  Ａ」、「ＥＦ  Ｂ」または「ＴＨＲＵ」を択一的に選択する「４×３」のボタン画像から構成されている。
【０００５】
また、インサーションエフェクト設定部２２０内において２２５はエフェクトＡ設定部であり、エフェクトＡの詳細なパラメータを設定する。同様に、２２７はエフェクトＢ設定部であり、エフェクトＢの詳細なパラメータを設定する。２２４はエフェクトＡ入力源表示部であり、「４」のエレメントに対応する「４」のランプ画像から構成されている。これらのランプ画像のうち、供給先選択部２１６においてエフェクトＡが選択されたエレメントに係るランプ画像は点灯され、それ以外のランプ画像は消灯される。同様に、２２６はエフェクトＢ入力源表示部であり、「４」のエレメントに対応する「４」のランプ画像から構成されている。これらのランプ画像のうち、供給先選択部２１６においてエフェクトＢが選択されたエレメントに係るランプ画像は点灯され、それ以外のランプ画像は消灯される。２２８は結合線画像であり、接続態様設定部２２２において設定された接続態様に応じて、エフェクトＡ，Ｂ等の結合関係およびミキシング状態を表示する。
【０００６】
次に、システムエフェクトにおいては、リバーブおよびコーラスエフェクトが設けられている。システムエフェクト設定部２３０の内部において２３２，２４２はセンドレベル設定部であり、インサーションエフェクトからの出力信号をリバーブおよびコーラスエフェクトに送出する際のセンドレベルを設定する。２３３はリバーブエフェクト設定部、２４３はコーラスエフェクト設定部であり、リバーブおよびコーラスエフェクトの詳細なパラメータを設定する。２３４，２４４はＰＡＮ設定部であり、リバーブおよびコーラスエフェクトのＰＡＮ（左右の音量バランス）を調節する。２３５，２４５は出力レベル設定部であり、リバーブおよびコーラスエフェクトの出力レベルを設定する。２４６はセンドレベル設定部であり、コーラスエフェクトの出力信号をリバーブエフェクトに送出する際のセンドレベルを設定する。
【０００７】
【非特許文献１】「ＭＯＴＩＦ  ＥＳ  取扱説明書」，ヤマハ株式会社，２００３年
【発明の開示】
【発明が解決しようとする課題】
【０００８】
しかし、上述した技術においては、入力源表示部２２４，２２６に対してランプ画像の数をエレメント数と同数設けなければならない。このため、エレメント数が増加すると、入力源表示部２２４，２２６のために必要な表示領域が大きくなりすぎるという問題があった。
この発明は上述した事情に鑑みてなされたものであり、コンパクトな表示領域によって多数の波形データの経路を表示することができる経路図表示装置およびプログラムを提供することを目的としている。
【課題を解決するための手段】
【０００９】
上記課題を解決するため本発明にあっては、下記構成を具備することを特徴とする。なお、括弧内は例示である。
請求項１記載の経路図表示装置にあっては、複数の原信号（エレメント）のうち各々指定されたものが供給される複数の入力部（エレメントの供給先）を有する音声信号処理装置の経路図を表示する経路図表示装置において、前記複数の入力部毎に異なる規定色を定める色規定手段（１１０、色テーブル）と、複数のブロック画像（５４〜５８，６２〜７５）とこれらブロック画像の相互間を結ぶ結合線画像（６０，７６）とを有し処理する信号の流れを表す回路部画像（８０）と、該回路部画像（８０）の入力位置に配置され前記各入力部を前記色規定手段（１１０、色テーブル）によって規定された規定色で表示する入力部表示画像（５４，５５，５６）と、前記各原信号（エレメント）に対応する複数の原信号画像（供給先選択状態表示部５３内の各ランプ画像）とを表示させる表示手段（１０６）と、何れかの原信号に対する前記入力部の割当が変更された場合にその旨を検出する割当変更検出手段（１１２）と、該原信号に対して新たに割り当てられた入力部の規定色を前記色規定手段（１１０、色テーブル）から読み出す読出手段（ＳＰ２，ＳＰ２４）と、該原信号に対応する原信号画像の表示色を、読み出された前記規定色または該規定色に対応する表示色（同一の色相を有する暗色）に変更する表示色変更手段（ＳＰ６，ＳＰ１０，ＳＰ２８，ＳＰ３２）とを有することを特徴とする。
さらに、請求項２記載の構成にあっては、請求項１記載の経路図表示装置において、前記各原信号（エレメント）毎に、前記音声信号処理装置の複数の入力部に対して当該原信号を供給するオン状態および当該原信号を供給しないオフ状態のうち何れかを指定する原信号オンオフ設定手段（１１）をさらに有し、前記表示色変更手段は、前記原信号オンオフ設定手段（１１）がオン状態に設定されているかオフ状態に設定されているかを検出する状態検出手段（ＳＰ４，ＳＰ２６）と、前記状態検出手段（ＳＰ４，ＳＰ２６）によってオン状態が検出されると、前記原信号画像の表示色を前記規定色に変更する第１の変更手段（ＳＰ６，ＳＰ２８）と、前記状態検出手段（ＳＰ４，ＳＰ２６）によってオフ状態が検出されると、前記規定色を明度または彩度のうち少なくとも一方を下げた調整表示色に調整し、前記原信号画像の表示色を該調整表示色に変更する第２の変更手段（ＳＰ１０，ＳＰ３２）とを有することを特徴とする。
さらに、請求項３記載の構成にあっては、請求項１または２記載の経路図表示装置において、前記複数の原信号画像（５３内のランプ画像）と、前記入力部表示画像（５４，５５，５６）とは、前記表示手段（１０６）上で所定幅の空隙部（５９）を隔てて配置されていることを特徴とする。
また、請求項４記載のプログラムにあっては、複数の原信号（エレメント）のうち各々指定されたものが供給される複数の入力部（エレメントの供給先）を有する音声信号処理装置の経路図を表示する経路図表示装置において実行されるプログラムであって、前記音声信号処理装置は複数の原信号（エレメント）のうち各々指定されたものが入力される複数の入力部（エレメントの供給先）を有するものであり、前記経路図表示装置は(a)前記複数の入力部毎に異なる規定色を定める色規定手段（１１０、色テーブル）と、(b)複数のブロック画像（５４〜５８，６２〜７５）とこれらブロック画像の相互間を結ぶ結合線画像（６０，７６）とを有し処理する信号の流れを表す回路部画像（８０）と、該回路部画像（８０）の入力位置に配置され前記各入力部を前記色規定手段（１１０、色テーブル）によって規定された規定色で表示する入力部表示画像（５４，５５，５６）と、前記各原信号（エレメント）に対応する複数の原信号画像（供給先選択状態表示部５３内の各ランプ画像）とを表示させる表示手段（１０６）と、(c)処理装置（１１２）とを有するものであり、何れかの原信号に対する前記入力部の割当が変更されると、該原信号に対して新たに割り当てられた入力部の規定色を前記色規定手段（１１０、色テーブル）から読み出す読出し過程（ＳＰ２，ＳＰ２４）と、該原信号に対応する原信号画像の表示色を、読み出された前記規定色または該規定色に対応する表示色（同一の色相を有する暗色）に変更する表示色変更過程（ＳＰ６，ＳＰ１０，ＳＰ２８，ＳＰ３２）とを前記処理装置に実行させることを特徴とする。
【発明の効果】
【００１０】
このように本発明によれば、各原信号に対応する複数の原信号画像を、対応する入力部に係る規定色または該規定色に対応する表示色で表示するから、コンパクトな表示領域によって多数の波形データの経路を簡潔に表示することができる。
【発明を実施するための最良の形態】
【００１１】
1．実施例のハードウエア構成
次に、本発明の一実施例のボイス編集システムの構成を図２を参照し説明する。本実施例のボイス編集システムは、電子楽器１３０と、該電子楽器１３０に接続されたパーソナルコンピュータ（ＰＣ）１００とから構成されている。ＰＣ１００の内部において１０２は操作子部であり、キーボード、マウス等から構成されている。１０４は検出回路であり、操作子部１０２の状態を検出する。１０６は表示部であり、表示回路１０８の制御の下、ユーザに対して各種情報を表示する。１１０は記憶装置であり、ＲＡＭおよびＲＯＭから構成されている。１１２はＣＰＵであり、通信バス１１６を介してＰＣ１００内の各部を制御する。１１４は通信インタフェースであり、有線または無線のネットワーク１２０を介して電子楽器１３０との間でデータを送受信する。
【００１２】
次に、電子楽器１３０の内部において１３２は操作子部であり、鍵盤、ホイール、各種スイッチ、ノブ等から構成されている。１３４は検出回路であり、操作子部１３２の状態を検出する。１３６は表示部であり、表示回路１３８の制御の下、ユーザに対して各種情報を表示する。１４０は記憶装置であり、ＲＡＭおよびＲＯＭから構成されている。１４２はＣＰＵであり、通信バス１４６を介して電子楽器１３０内の各部を制御する。１４４は通信インタフェースであり、ネットワーク１２０を介してＰＣ１００の通信インタフェース１１４との間でデータを送受信する。１４８は音源回路であり、通信バス１４６を介して供給された演奏情報に基づいて、エレメントとなる波形データを生成する。１５０は効果回路であり、これらエレメントに対してインサーションエフェクトを付与するとともにその結果をミキシングし、該ミキシング結果に対してシステムエフェクトを付与する。１５２はサウンドシステムであり、効果回路１５０から出力された楽音信号を発音する。
【００１３】
2．実施例の動作
2．1．電子楽器１３０の動作の概要
次に、電子楽器１３０内の動作の概要を説明する。電子楽器１３０は、一の鍵の押下（または一のノートオンイベント）に対して生成する楽音信号を、複数（最大「８」）の波形データすなわちエレメントを同時に再生することによって、生成するものである。従って、音源回路１４８においては、最大「８」のエレメントが同時に読み出され、これらエレメントが効果回路１５０に供給される。
【００１４】
効果回路１５０においては、音源回路１４８からのエレメントが、最初にインサーションエフェクトに供給される。ここで、インサーションエフェクトにおいては、エフェクトＡ，Ｂの二種類のエフェクトに対応している。従って、音源回路１４８から出力されたエレメントの供給先（インサーションエフェクトの入力部）としては、エフェクトＡ、エフェクトＢおよびスルー（エフェクトＡ，Ｂの何れにも供給せずインサーションエフェクトをスルーする）の「３」種類がある。この供給先は、最大「８」のエレメントに対して、エレメント毎に独立して選択される。
【００１５】
また、これら最大「８」のエレメントに対しては、効果回路１５０に供給するか否かを定めるエレメント・オン／オフ・フラグが設定されている。該フラグがオフ状態に設定されていれば、当該エレメントは音源回路１４８においては生成されるが、効果回路１５０には供給されない。一方、該フラグがオン状態に設定されているエレメントは、効果回路１５０内の設定された供給先（エフェクトＡ，Ｂまたはスルー）に供給される。
【００１６】
次に、効果回路１５０に供給されたエレメントのうち、供給先としてエフェクトＡが設定されているエレメントに対しては、エフェクトＡに係る効果が付与され、供給先としてエフェクトＢが設定されているエレメントに対しては、エフェクトＢに係る効果が付与される。次に、エフェクトＡの効果が付与された後のエレメントと、エフェクトＢの効果が付与されたエレメントと、供給先としてスルーが設定されたエレメントとが、効果回路１５０に設定されている「エフェクトＡ，Ｂの接続態様」に従ってミキシングされる。このミキシング結果が、インサーションエフェクトの出力信号になる。
【００１７】
次に、該ミキシング結果が、効果回路１５０に設定されているシステムエフェクトに供給される。本実施例においてシステムエフェクトは、コーラスエフェクトとリバーブエフェクトとから構成されている。これらシステムエフェクトが付与された後の楽音信号が、一の鍵の押下（または一のノートオンイベント）に対して生成した楽音信号として、外部に出力される。
【００１８】
2．2．ＰＣ１００における画面表示
ＰＣ１００においてユーザが所定の操作を行うと、図３(a)に示すボイス設定画面が表示部１０６に表示される。このボイス設定画面においは色分け表示が行われる。色分け表示の状態は、図面上では図３(b)に示す凡例に基づいて、ハッチングの種類によって表記する。すなわち、「橙」は左下がり、「青」は右下がり、「緑」は水平のハッチングによって表記する。また、「橙」、「青」および「緑」の各々は、さらに「明色」と「暗色」とに分類される。ここで、「暗色」とは、「明色」と同一の色相を有し、明度および彩度が低い色をいう。図面上では「暗色」と「明色」とはハッチングの密度によって表記する。すなわち、密度の高いハッチングは明色であり、密度の低いハッチングは暗色である。
【００１９】
図３(a)において１０はエレメント設定部であり、「８」エレメントに対する設定および表示を行う。２０はインサーションエフェクト設定部であり、各エレメントに対して付与されるエフェクトであるインサーションエフェクトの設定および表示を行う。３０はシステムエフェクト設定部であり、全エレメントのミキシング結果に対して付与されるエフェクトであるシステムエフェクトの設定および表示を行う。５０はブロック図表示部であり、各設定部１０，２０，３０における設定結果に基づいたブロック図を表示する。
【００２０】
エレメント設定部１０の内部において１２はエレメント番号表示部であり、「１」〜「８」のエレメント番号を表示する。１１はエレメント・オンオフ設定部であり、各エレメントに対応する「８」のチェックボックスから構成され、マウスでクリックされる毎に、各エレメントのオン／オフ状態を切り替える。なお、チェック（○印）が付与されているエレメントがオン状態である。
【００２１】
インサーションエフェクト設定部２０においては、エフェクトＡ，Ｂの「２」種類のエフェクトの状態を設定することができる。ここで、エフェクトＡ，Ｂの接続態様として、「エフェクトＡの出力をエフェクトＢに供給する」、「エフェクトＢの出力をエフェクトＡに供給する」、「エフェクトＡ，Ｂをパラレルに接続する」という「３」態様が考えられる。２４は接続態様設定部であり、上述した何れかの接続態様を選択するものである。以上のようなインサーションエフェクトに対して、各エレメントにおいては、「エフェクトＡに入力する（Ａ）」、「エフェクトＢに入力する（Ｂ）」、「何れのエフェクトにも入力せずインサーションエフェクトをスルーする（Ｔｈｒ）」の何れかの供給先を選択することができる。エレメント設定部１０内において１４は供給先選択部であり、各エレメント毎に供給先（「Ａ」、「Ｂ」または「Ｔｈｒ」）を択一的に選択する「８×３」のボタン画像から構成されている。
【００２２】
供給先選択部１４内の左端列のボタン画像は、対応するエレメントの供給先としてエフェクトＡを選択するものであり、供給先としてエフェクトＡが選択された場合には、「緑」色に点灯する。また、中央列のボタン画像は、対応するエレメントの供給先としてエフェクトＢを選択するものであり、供給先としてエフェクトＢが選択された場合には、「青」色に点灯する。同様に、右端列のボタン画像は、対応するエレメントの供給先として「Ｔｈｒ」を選択するものであり、供給先として「Ｔｈｒ」が選択された場合には、「橙」色に点灯する。また、これらのボタン画像の点灯色は、エレメント・オンオフ設定部１１においてオン状態に設定されたエレメントについては「明色」、オフ状態にされたエレメントについては「暗色」に設定される。図示の例においては、オン状態にされているエレメントは第２〜第４および第８エレメントであるから、対応するボタン画像は「明色」で点灯される。また、オフ状態にされているエレメントは第１および第５〜第７エレメントであるから、対応するボタン画像は「暗色」で点灯される。
【００２３】
次に、インサーションエフェクト設定部２０の内部において２２はエフェクトＡ設定部であり、エフェクトＡの詳細なパラメータを設定する。同様に、２６はエフェクトＢ設定部であり、エフェクトＢの詳細なパラメータを設定する。また、システムエフェクトにおいては、リバーブおよびコーラスエフェクトが設けられている。システムエフェクト設定部３０の内部において３２，４２はセンドレベル設定部であり、インサーションエフェクトからの出力信号をコーラスおよびリバーブエフェクトに送出する際のセンドレベルを設定する。３４はコーラスエフェクト設定部、４４はリバーブエフェクト設定部であり、コーラスおよびリバーブエフェクトの詳細なパラメータを設定する。３７，４７はＰＡＮ設定部であり、コーラスおよびリバーブエフェクトのＰＡＮ（左右の音量バランス）を調節する。３６，４６は出力レベル設定部であり、コーラスおよびリバーブエフェクトの出力レベルを設定する。３８はセンドレベル設定部であり、コーラスエフェクトの出力信号をリバーブエフェクトに送出する際のセンドレベルを設定する。
【００２４】
次に、ブロック図表示部５０の内部において５１はエレメント・オンオフ表示部であり、各エレメントに対して「１」個づつ設けられ、上からエレメント番号順に配列された合計「８」個のチェック表示部によって構成されている。これらチェック表示部はエレメント・オンオフ設定部１１に設けられたチェックボックスと同様の態様で各エレメントのオン／オフ状態を表示するものである。５２はエレメント番号表示部であり、エレメント番号表示部１２と同様に「１」〜「８」のエレメント番号を、上から番号順に表示する。５３は供給先選択状態表示部であり、各エレメントに対して「１」個づつ設けられ、上からエレメント番号順に配列された合計「８」個のランプ画像によって構成されている。このように、エレメント・オンオフ表示部５１に設けられたチェック表示部の数、エレメント番号表示部５２に表示されたエレメント番号の数、および供給先選択状態表示部５３に設けられたランプ画像の数（＝８）は、一のノートオンイベントに対して音源回路１４８が同時に生成する最大エレメント数、換言すれば効果回路１５０において同時に処理することができる最大エレメント数に等しいことが解る。
【００２５】
上述したように、供給先選択部１４においては、各エレメントに対して、供給先として「Ａ」、「Ｂ」または「Ｔｈｒ」の何れかが択一的に選択され、選択された供給先に係るボタン画像が、供給先とエレメントのオン／オフ状態とに応じた色で点灯される。供給先選択状態表示部５３においては、供給先選択部１４において点灯状態であるボタン画像と同一の点灯色で、各ランプ画像が点灯される。従って、図示の例においては、第１〜第８エレメントに対するランプ画像は、「橙暗色」、「青明色」、「緑明色」、「青明色」、「緑暗色」、「青暗色」、「橙暗色」および「橙明色」で各々点灯されている。
【００２６】
次に、８０は効果回路表示部であり、「電子楽器１３０の動作の概要」の節で説明した電子楽器１３０内の効果回路１５０における、信号の流れを表示したものである。上述したように、本実施例においては、一つのノートオンイベントに対して音源回路１４８で生成された最大「８」のエレメントが効果回路１５０に供給され、効果回路１５０においてこれらエレメントに各種処理が施されて一の楽音信号として出力される。効果回路表示部８０は、かかる処理の流れを表示したものであり、複数のブロック画像５４〜５８，６２〜７５と、これらブロック画像の相互間を結ぶ結合線画像６０，７６とから構成されている。
【００２７】
以下、効果回路表示部８０の詳細について説明する。まず、５４，５５，５６は、各々供給先「Ｔｈｒ」，「Ａ」，「Ｂ」に対応する供給先表示部であり、「橙明色」、「緑明色」および「青明色」で、供給先選択状態表示部５３の近傍に表示される。さらに、供給先表示部５４，５５，５６は効果回路表示部８０の入力部位置、すなわち外部の音源回路１４８から原信号であるエレメントが入力される位置に相当する部分に設けられていることも本実施例の特徴の一つである。
【００２８】
供給先表示部５４，５５，５６は、各々供給先選択状態表示部５３内のランプ画像よりも横長になっており、供給先選択状態表示部５３と供給先表示部５４，５５，５６とは、所定幅の空隙部５９を隔てて対向している。この空隙部５９においては、供給先選択状態表示部５３と供給先表示部５４，５５，５６とを結ぶ画像（例えば結合線画像等）が全く存在しない。換言すれば、供給先選択状態表示部５３と、供給先表示部５４，５５，５６との間において、結合線画像等が全く存在しない部分を空隙部５９と称しているのである。仮に、供給先選択状態表示部５３内の個々のランプ画像毎に供給先表示部５４，５５，５６とランプ画像とを結ぶ結線を表示すると、表示状態がきわめて煩雑になる。これに対して本実施例によれば、供給先選択状態表示部５３と供給先表示部５４，５５，５６との接続関係を「色」によって特定できるから、画面内を煩雑にすることなく接続関係を明示することができる。
【００２９】
５７，５８はインサーションエフェクト用のエフェクト名表示部であり、エフェクトＡ，Ｂの名称を表示する。６０は結合線画像であり、接続態様設定部２４において設定された接続態様に応じて、エフェクトＡ，Ｂ等の結合関係およびミキシング状態を表示する。６３，７３はシステムエフェクト用のエフェクト名表示部であり、各々コーラスおよびリバーブエフェクトの名称を表示する。６２，７２，６６はセンドレベル表示部であり、センドレベル設定部３２，４２，３８において設定されたセンドレベルを円グラフ状の画像によって表示する。６４，７４はＰＡＮ表示部であり、ＰＡＮ設定部３７，４７によって設定された音量バランスを表示する。６５，７５は出力レベル表示部であり、出力レベル設定部３６，４６によって設定された出力レベルを円グラフ状の画像によって表示する。７６は結合線画像であり、システムエフェクト内部の各部の結合関係を表示する。
【００３０】
2．3．イベント処理
次に、ＰＣ１００において各種イベントが発生した場合の処理を説明する。
まず、供給先選択部１４において消灯状態のボタン画像がマウスでクリックされると、図４に示す供給先設定イベントルーチンが起動される。このルーチンが起動すると、その起動の契機となったボタン画像すなわちクリックされたボタン画像に対応するエレメントが、その回の図４の処理における対象となるエレメントになる。そして、後述する各ステップにおいては、その処理対象のエレメントに対応するボタン画像、チェックボックス、チェック表示部およびランプ画像がその回の図４の処理における対象になる。
【００３１】
図４において処理がステップＳＰ２に進むと、クリックされたボタン画像に係る規定色が色テーブルから読み出される。なお、色テーブルとは、記憶装置１１０に予め記憶され、供給先「Ｔｈｒ」，「Ａ」，「Ｂ」に対して、各々「橙明色」、「緑明色」および「青明色」の色を記憶したテーブルである。次に、処理がステップＳＰ４に進むと、エレメント・オンオフ設定部１１の対応するチェックボックスにおいて、当該エレメントがオン状態に設定されているか否かが判定される。ここで「ＹＥＳ」と判定されると処理はステップＳＰ６に進み、クリックされたボタン画像の色と、供給先選択状態表示部５３内において当該エレメントに対応するランプ画像の色とが、先に色テーブルから読み出された規定色（明色）に変更される。
【００３２】
一方、ステップＳＰ４において「ＮＯ」と判定されると、処理はステップＳＰ８に進み、色テーブルから読み出された色を「暗色」に変換した色、すなわち色相を保持しつつ明度および彩度を下げた色が、表示色として設定される。次に、処理がステップＳＰ１０に進むと、供給先選択部１４内においてクリックされたボタン画像の色と、供給先選択状態表示部５３内において当該エレメントに対応するランプ画像の色とが、設定された暗色の表示色に変更される。なお、ステップＳＰ６，ＳＰ１０においてボタン画像の色およびランプ画像の色を変更する時には、それまでのボタン画像またはランプ画像の色が消され（消灯され）、新たに選択されたボタン画像の色が付与される（点灯される）。この点は、後述する図５の処理においても同様である。
【００３３】
ところで、各エレメントの供給先とオン／オフ状態とは、記憶装置１１０内の所定領域に供給状態設定データとして記憶されている。次に、処理がステップＳＰ１２に進むと、今回クリックされたボタン画像に係るエレメントに対して、該ボタン画像に係る供給先を割り当てるように記憶装置１１０内の供給状態設定データが更新され、さらにこの更新された供給状態設定データがネットワーク１２０を介して電子楽器１３０に送信される。また、電子楽器１３０においては、受信された供給状態設定データが記憶装置１４０に記憶され、これを反映するように効果回路１５０のアルゴリズムが更新される。
【００３４】
また、エレメント・オンオフ設定部１１において何れかのエレメントに係るチェックボックスがマウスでクリックされると、図５に示すエレメント・オンオフ設定イベントルーチンが起動される。このルーチンが起動すると、その起動の契機となったチェックボックスすなわちクリックされたチェックボックスに対応するエレメントが、その回の図５の処理における対象となるエレメントになる。そして、後述する各ステップにおいては、その処理対象のエレメントに対応するボタン画像、チェックボックス、チェック表示部およびランプ画像がその回の図５の処理における対象になる。
【００３５】
図５において処理がステップＳＰ２２に進むと、クリックされたチェックボックスのオン／オフ状態が反転され、オン／オフ状態の表示が反転後の設定状態に合致するように変更される。次に、処理がステップＳＰ２４に進むと、当該エレメントに対して現在設定されている供給先（「Ｔｈｒ」，「Ａ」または「Ｂ」）の規定色（「橙明色」、「緑明色」または「青明色」）が色テーブルから読み出される。次に、処理がステップＳＰ２６に進むと、エレメント・オンオフ設定部１１の対応するチェックボックスにおいて、当該エレメントがオン状態に設定されているか否かが判定される。ここで「ＹＥＳ」と判定されると処理はステップＳＰ２８に進み、供給先選択部１４内において該エレメントに対して現在オン状態であるボタン画像の色と、供給先選択状態表示部５３内において当該エレメントに対応するランプ画像の色とが、読み出された規定色に変更される。
【００３６】
一方、ステップＳＰ２６において「ＮＯ」と判定されると、処理はステップＳＰ３０に進み、色テーブルから読み出された色を「暗色」に変換した色、すなわち色相を保持しつつ明度および彩度を下げた色が、表示色として設定される。次に、処理がステップＳＰ３２に進むと、供給先選択部１４内において該エレメントに対して現在オン状態であるボタン画像の色と、供給先選択状態表示部５３内において当該エレメントに対応するランプ画像の色とが、設定された暗色の表示色に変更される。次に、処理がステップＳＰ３４に進むと、今回クリックされたチェックボックスに係るエレメントに対して、オン／オフ状態を変更するように記憶装置１１０内の供給状態設定データが更新され、さらにこの更新された供給状態設定データがネットワーク１２０を介して電子楽器１３０に送信される。また、電子楽器１３０においては、受信された供給状態設定データが記憶装置１４０に記憶され、これを反映するように効果回路１５０のアルゴリズムが更新される。
【００３７】
3．変形例
本発明は上述した実施例に限定されるものではなく、例えば以下のように種々の変形が可能である。
(1)上記実施例においては、パーソナルコンピュータ１００上で動作するアプリケーションプログラムによって各種処理を行ったが、このアプリケーションプログラムのみをＣＤ−ＲＯＭ、メモリカード等の記録媒体に格納して頒布し、あるいは伝送路を通じて頒布することもできる。
【００３８】
(2)上記実施例において「暗色」は「明色」に対して色相を保持しつつ明度および彩度を下げた色であったが、「暗色」は「明色」に対して色相を保持しつつ明度または彩度の一方のみを下げた色であってもよい。
【図面の簡単な説明】
【００３９】
【図１】従来のボイス設定画面の一例を示す図である。
【図２】本発明の一実施例のボイス編集システムのブロック図である。
【図３】一実施例のボイス設定画面の一例を示す図である。
【図４】供給先設定イベントルーチンのフローチャートである。
【図５】エレメント・オンオフ設定イベントルーチンのフローチャートである。
【符号の説明】
【００４０】
１０：エレメント設定部、１１：エレメント・オンオフ設定部、１２：エレメント番号表示部、１４：供給先選択部、２０：インサーションエフェクト設定部、２２：エフェクトＡ設定部、２４：接続態様設定部、２６：エフェクトＢ設定部、３０：システムエフェクト設定部、３２，４２，３８：センドレベル設定部、３４：コーラスエフェクト設定部、３６，４６：出力レベル設定部、３７，４７：ＰＡＮ設定部、４４：リバーブエフェクト設定部、５０：ブロック図表示部、５１：エレメント・オンオフ表示部、５２：エレメント番号表示部、５３：供給先選択状態表示部（原信号画像）、５４，５５，５６：供給先表示部（入力部表示画像）、５７，５８：エフェクト名表示部、５９：空隙部、６０：結合線画像、６２，６６，７２：センドレベル表示部、６３，７３：エフェクト名表示部、６４，７４：ＰＡＮ表示部、６５，７５：出力レベル表示部、７６：結合線画像、１００：パーソナルコンピュータ、１０２：操作子部、１０４：検出回路、１０６：表示部、１０８：表示回路、１１０：記憶装置、１１２：ＣＰＵ、１１４：通信インタフェース、１１６：通信バス、１２０：ネットワーク、１３０：電子楽器、１３２：操作子部、１３４：検出回路、１３６：表示部、１３８：表示回路、１４０：記憶装置、１４２：ＣＰＵ、１４４：通信インタフェース、１４６：通信バス、１４８：音源回路、１５０：効果回路、１５２：サウンドシステム。
【図１】
0004671040.tif 000002
【図２】
0004671040.tif 000003
【図３】
0004671040.tif 000004
【図４】
0004671040.tif 000005
【図５】
0004671040.tif 000006